Podtech/llm-jp-corpus-v4-ja_patent huggingface dataset:
(57)【要約】      （修正有）【課題】２種類の異なった作業をするツールが装着されており、それらが干渉することなく独立して同じ材料を工作できるダブルヘッダー型加工機を提供する。【解決手段】ＸＹプロッターにおいて、Ｙ軸にＹ軸上を動ける２つのヘッダーを取り付ける。Ｙ軸が２本あり、それぞれＸ軸上の両端に待機しており、コンピューター制御により別々に動く。【選択図】図１
0003178463.tif 000002
【実用新案登録請求の範囲】
【請求項１】
Ｘ軸Ｙ軸独立に動かせるＸＹプロッターにおいてＹ軸にＹ軸上を動けるヘッダーを取り付けてあることを特徴とするダブルヘッダー型ＸＹ加工機。
【請求項２】
Ｙ軸が２本あり、それぞれのＹ軸がＸ軸上の両端に待機しており、２本のＹ軸のヘッダーには異なった作業をする装置が、例えば垂直振動カッターやルーターが取り付けてあり、コンピューター制御により別々に動けることを特徴とする請求項１記載のダブルヘッダー型ＸＹ加工機。
【請求項３】
２本のＹ軸はコンピューター制御によりＸＹ盤面上をぶつかることなく自由に動けるようになっていることを特徴とする請求項１記載のダブルヘッダー型ＸＹ加工機。
【考案の詳細な説明】
【技術分野】
【０００１】  板状の材料を加工する装置に関する。
【背景技術】
【０００２】  板状の材料を加工するＸＹプロッターはあった。【０００３】  一枚の板状の材料に同時に異なった作業をする装置は無かった。
【考案が解決しようとする課題】
【０００４】  ２種類の異なった作業をするツールが装着されており、それらが干渉することなく独立して同じ材料を工作できる装置が求められていた。
【課題を解決するための手段】
【０００５】  本考案は上記問題に鑑みてなされたものであり、独立した２本のＹ軸がＸ軸の両端に待機しそれぞれのＹ軸のヘッダーには異なったワークをするツールがセットしてあり、コンピューター制御により干渉することなく独立して同じ材料を工作できるようにする。
【考案の効果】
【０００６】  上記考案に寄ればＹ軸が２本あり、それぞれに異なった作業をするツールが取り付けてあり、お互いに干渉する事無く独立して動くので、作業は早く進み効率が上がる。
【考案を実施するための最良の形態】
【実施例１】
【０００７】  本考案のダブルヘッダー型ＸＹ加工機について図面に基づいて説明する。図１は
ダブルヘッダー型ＸＹ加工機を上から見た概念を示す概念図でありＹ１軸１とＹ２軸２はＸＹ盤面の両端に位置しリミットライン（Ｌ１）３と（Ｌ２）４の内側に待機している。それぞれのＹ軸には作業をするために必要なツールを取り付けるためのヘッダー（Ｈ１）５と（Ｈ２）６が取り付けてあり、それぞれのヘッダーは各Ｙ軸に沿って動けるようになっている。２本のＹ軸はＸ軸方向に動けるが反対側のリミットラインＬ１Ｌ２内には入れないようにしてある。
【産業上の利用の可能性】
【０００８】  同一板材に同時に異なった２種類の作業が行えるので作業効率が向上する。
【図面の簡単な説明】
【０００９】
【図１】本考案のダブルヘッダー型ＸＹ加工機を上から見た概念図。
【符号の説明】
【００１０】１    Ｙ１軸
２    Ｙ２軸
３    Ｙ１軸のリミットライン（Ｌ１）
４    Ｙ２軸のリミットライン（Ｌ２）
５    ヘッダー（Ｈ１）
６    ヘッダー（Ｈ２）
【図１】
0003178463.tif 000003
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
Ｘ軸Ｙ軸独立に動かせるＸＹプロッターにおいてＹ軸にＹ軸上を動ける２つのヘッダーを取り付けてあることを特徴とするダブルヘッダー型ＸＹ加工機。
【請求項２】
Ｙ軸が２本あり、それぞれのＹ軸がＸ軸上の両端に待機しており、２本のＹ軸のヘッダーには異なった作業をする装置が、例えば垂直振動カッターやルーターが取り付けてあり、コンピューター制御により別々に動けることを特徴とする請求項１記載のダブルヘッダー型ＸＹ加工機。
【請求項３】
２本のＹ軸はコンピューター制御によりＸＹ盤面上をぶつかることなく自由に動けるようになっていることを特徴とする請求項１記載のダブルヘッダー型ＸＹ加工機。
【手続補正２】
【補正対象書類名】明細書
【補正対象項目名】全文
【補正方法】変更
【補正の内容】
【考案の詳細な説明】
【技術分野】
【０００１】  板状の材料を加工する装置に関する。
【背景技術】
【０００２】  板状の材料を加工するＸＹプロッターはあった。【０００３】  一枚の板状の材料に同時に異なった作業をする装置は無かった。
【考案が解決しようとする課題】
【０００４】  ２種類の異なった作業をするツールが装着されており、それらが干渉することなく独立して同じ材料を工作できる装置が求められていた。
【課題を解決するための手段】
【０００５】  本考案は上記問題に鑑みてなされたものであり、独立した２本のＹ軸がＸ軸の両端に待機しそれぞれのＹ軸のヘッダーには異なった作業をするツールがセットしてあり、コンピューター制御により干渉することなく独立して同じ材料を工作できるようにする。
【考案の効果】
【０００６】  上記考案に拠ればＹ軸が２本あり、それぞれに異なった作業をするツールが取り付けてあり、お互いに干渉する事無く独立して動くので、作業は早く進み効率が上がる。
【考案を実施するための最良の形態】
【実施例１】
【０００７】  本考案のダブルヘッダー型ＸＹ加工機について図面に基づいて説明する。図１はダブルヘッダー型ＸＹ加工機を上から見た概念を示す概念図でありＹ１軸１とＹ２軸２はＸＹ盤面の両端に位置しリミットライン（Ｌ１）３と（Ｌ２）４の内側に待機している。それぞれのＹ軸には作業をするために必要なツールを取り付けるためのヘッダー（Ｈ１）５と（Ｈ２）６が取り付けてあり、それぞれのヘッダーは各Ｙ軸に沿って動けるようになっている。２本のＹ軸はＸ軸方向に動けるが反対側のリミットラインＬ１Ｌ２内には入れないようにしてある。
【産業上の利用の可能性】
【０００８】  同一板材に同時に異なった２種類の作業が行えるので作業効率が向上する。
【図面の簡単な説明】
【０００９】
【図１】本考案のダブルヘッダー型ＸＹ加工機を上から見た概念図。
【符号の説明】
【００１０】    １    Ｙ１軸
２    Ｙ２軸
３    Ｙ１軸のリミットライン（Ｌ１）
４    Ｙ２軸のリミットライン（Ｌ２）
５    ヘッダー（Ｈ１）
６    ヘッダー（Ｈ２）
【手続補正３】
【補正対象書類名】図面
【補正対象項目名】全図
【補正方法】変更
【補正の内容】
【図１】
0003178463.tif 000004
(57)【要約】      （修正有）【課題】味噌等ペースト状態物の容器であって、内容物を取り出す際、容器の角部分に取り残しが起きにくい形状を有した容器を提供する。【解決手段】味噌等ペースト状態物を容器から取り出す際、すくい取り具、たとえばお玉等が容器内面にフィットして、内容物の容器からの剥離が容易となり、取り残しがなく取り切る事が出来るようにするために、容器内面の形状を、略半球からＵ字型にし全体に丸味を持たせる。更に製作部材に摩擦の少ない部材を使用する。【選択図】図４
0003178468.tif 000002
【実用新案登録請求の範囲】
【請求項１】
本考案は、味噌等ペースト状態物を収容する容器であって、略半球形からＵ字形で全体に丸味ある形状を持ち、摩擦の少ない部材にて制作される容器に関するものである。
従来の味噌等ペースト状態物の容器の内面形状は直線の立方体型が主体でありその形状上の欠陥として、内容物を取り出す際に容器の角に取り残しが起こり、きれいに取り切る事が出来なかった。
そこで本考案では、この容器形状上の欠陥による内容物である味噌等ペースト状態物の取り残しが起き、きれいに取り切ることができないという問題点の解決を目的とする。
味噌等ペースト状態物の容器の内面形状を、略半球からＵ字型にして曲線の全体に丸味を持つ容器にする。そうすることにより、容器内面の四隅に角はできない。
更に製作部材に摩擦の少ない部材を使用する。
その結果、内容物の味噌等ペースト状態物を容器から取り出す際、すくい取り具、たとえばお玉等が容器内面にフィットし、その動きがスムーズになり、容器からの剥離が容易となり、内容物の味噌等ペースト状態物を、残さずきれいに取り切ることが出来るようになり、従来の味噌等ペースト状態物の容器の内面形状は直線の立方体型が主体でありその形状上の欠陥として、内容物を取り出す際に容器の角に取り残しが起こり、きれいに取り切る事が出来なかった容器形状による欠陥を解消することになる。
【考案の詳細な説明】
【技術分野】
【０００１】本考案は、味噌等ペースト状態物の容器の内面形状と製作部材に関するものである。
【背景技術】
【０００２】従来の味噌等ペースト状態物の容器の内面形状は立方体が主体でありその形状上の欠陥として、内容物を取る際に容器の角に取り残しが起こる。この点を改良した。
【考案の概要】
【考案が解決しようとする課題】
【０００３】味噌等ペースト状態物を容器から取り出す際、従来の容器形状は立方体でありかつ平面であることにより角ができる。その為、容器内に内容物の取り残しが起こり、きれいに取り切ることが出来ない。
そこで考案は、この点を解決することを目的とする。
【課題を解決するための手段】
【０００４】味噌等ペースト状態物の容器内面の形状を、略半球からＵ字型にして全体に丸味を持たせる。
そうすることにより、容器内面の四隅に角はできない。
更に製作部材に内容物の摩擦の少ない部材を使用する。
その結果、内容物の味噌等ペースト状態物を容器から取り出す際、すくい取り具、たとえばお玉等が容器内面にフィットし、その動きがスムーズになり、容器からの剥離を容易にする。
【考案の効果】
【０００５】味噌等ペースト状態物の容器内面の形状を略半球からＵ字型にして全体に丸味を持たせ更に、製作部材に摩擦の少ない部材を使用することにより、すくい取り具、たとえばお玉等が容器内面にフィットし、なおかつその動きがスムーズになり、内容物の味噌等ペースト状態物を、残さず取り切ることが出来るようになる。
【図面の簡単な説明】
【０００６】
【図１】本考案の容器全体斜視概要図である。
【図２】本考案の容器平面図である。
【図３】本考案の容器正面断面図である。
【図４】本考案の容器側面断面図である。
【図５】本考案の容器概略図である。
【考案の詳細の説明】
【０００７】味噌等ペースト状態物の容器の内面形状を、略半球からＵ字型にして全体に丸味を持たせる。更に製作部材に摩擦の少ない部材を使用することで、内容物を容器から取り出す際すくい取り具、たとえばお玉等が容器内面にフィットし、なお且つ動きをスムーズにする。
そうすることにより、内容物の容器からの剥離を容易にし、残さずに取り切る事が出来るようになる。
【０００８】図面を参照にして説明するに、
従来の味噌等ペースト状態物の容器内面形状は、直線の立方体形状であり、容器の角に内容物の取り残しが起こり、きれいに取り切る事が出来なかった。
そこで、本考案により容器の形状を
図１容器正面断面図に示すとおり、容器内表面を略半球からＵ字型の曲線にする。
図２容器平面図に示すとおり、容器内側壁も曲面にすると、
図３容器正面断面図に示すとおり、すくい取り具たとえばお玉等が容器にフィットする。また、
図４容器内側面断面図に示すとおり、側面もＵ字型を現し、容器内面全体が略半球形からＵ字型の曲線になり、丸味を持つことになる。
更に、摩擦の少ない部材で作成する事により、内容物の容器からの剥離を容易にし、残さずきれいに取り切る事が出来るようになる。
【図１】
0003178468.tif 000003
【図２】
0003178468.tif 000004
【図３】
0003178468.tif 000005
【図４】
0003178468.tif 000006
【図５】
0003178468.tif 000007
【手続補正書】
【提出日】平成24年6月25日(2012.6.25)
【手続補正１】
【補正対象書類名】実用新案登録請求の範囲
【補正対象項目名】全文
【補正方法】変更
【補正の内容】
【実用新案登録請求の範囲】
【請求項１】
ペースト状対物を収容する容器であって、容器内面が略半球形からＵ字形で全体に丸味ある形状を持ち、摩擦の少ない部材にて制作されたことを特徴とする容器。
(57)【要約】      （修正有）【課題】半ロック状態になる巻き尺ホルダにおいて、収納された巻き尺が作業途中ホルダから脱落しいなようにしたベルト用巻尺ホルダを提供する。【解決手段】ベルト用巻き尺ホルダの収納部１には、バネの作用によって弾力性をもつ可動突出部３が設置され、巻き尺を収納すると係合部材２の丸型突出部６に前記可動突出部３により圧力が掛けられ前記ベルト用巻き尺ホルダに収納された巻き尺が半ロック状態になるようにしてベルト用巻き尺ホルダを形成する。前記ホルダの収納部１の上端部には係合部材２の縦長さの２倍以内の位置に前記係合部材の丸型突出部６の厚さの１．８倍以内の離脱防止用阻止部４を設置する。これにより、収納した巻き尺が巻き尺ホルダから脱落しないようにした。【選択図】図１
0003178467.tif 000002
【実用新案登録請求の範囲】
【請求項１】
ベルト用巻き尺ホルダの収納部には、バネの作用によって弾力性をもつ可動突出部が設置され、巻き尺を収納すると係合部材の丸型突出部に前記可動突出部により圧力が掛けられ前記ベルト用巻き尺ホルダに収納された巻き尺が半ロック状態になるようにしたベルト用巻き尺ホルダにおいて、前記ホルダの収納部の上端部には係合部材の縦長さの２倍以内の位置に前記係合部材の丸型突出部の厚さの１．８倍以内の離脱防止用阻止部を設置して収納した巻き尺が巻き尺ホルダから脱落しないようにしたｏｎｅｔｏｕｃｈ式ベルト用巻き尺ホルダ。
【考案の詳細な説明】
【技術分野】
【０００１】  本考案は巻きき尺を簡単に着脱できるように考案した巻き尺ホルダに関する
【背景技術】
【０００２】巻き尺には多数の丸型突出部が形成された係合部を設け、巻き尺ホルダには圧縮バネの作用によって弾力性をもつ可動突出部が設置され、巻き尺をホルダに収納すると係合部材の丸型突出部にホルダの可動突出部により圧力がかけられることで巻き尺が半ロック状態になるようにした従来の巻き尺ホルダがあった。
【考案の概要】
【考案が解決しようとする課題】
【０００３】  しかしながら、上記の巻き尺ホルダの収納部には係合部材を巻き尺ホルダの収納部の入れ口まで誘導する誘導通路が設置されていない為係合部材を巻き尺ホルダの収納部に入れる時間がかかること。巻き尺ホルダの収納部に巻き尺の脱落防止阻止部が無い為収納された巻き尺がホルダから脱落してしまう短所があった。
【課題を解決するための手段】
【０００４】  本考案は、ホルダの収納部の上部に係合部材を誘導する誘導通路を収納部の入れ口からは段々広くなるようにして巻き尺をホルダの収納部に収納する際、収納部の最上部に当てった係合部材が自然にホルダの収納部に誘導されるようにすること。誘導通路の上端部には係合部材の脱落防止用阻止部を設置して収納された巻き尺が脱落しないようにして上記課題を解決するものである。
【考案の効果】
【０００５】  本考案の係合部の誘導通路と係合部材の脱落防止用阻止部の設置によって従来の巻き尺に比べてより簡単に着脱することができる同時巻き尺を巻き尺ホルダから脱落しないようにする効果がある。
【図面の簡単な説明】
【０００６】
【図１】本考案に係る巻き尺ホルダの正面図
【図２】従来の巻き尺ホルダの正面図
【考案を実施する為の形態】
【０００７】  図１に示すように巻き尺ホルダ収納部の上部の両側に、下部から上部を向いて段々広がる形で係合部材を巻き尺ホルダの収納部に自然に誘導する同時にいったん入った係合部材が脱落しないように両側の壁に横向けの爪（凹）の形になる誘導通路を設ける
【０００８】  図１に示すように巻き尺ホルダの収納部の上部には係合部材の多数の丸型突出部の厚さより１．８倍以内の厚さになる離脱防止阻止部を設ける。
【０００９】  上記工程により完成した本考案の巻き尺ホルダは、巻き尺をホルダに収納する際には収納部の上部の両側に設けた誘導通路により、使用者がホルダを目で見なくても簡単に巻き尺をホルダの収納部に収納することができる。収納した巻き尺は巻き尺をホルダの外側を向けて上部に引っ張り上げることで簡単に収納部から出すことができるが、いったん収納された巻き尺は係合部材の上端部が巻き尺の重さによって内側の方向に作用され、作業中歩いたり、座ったり、立ったりする過程で引き揚げられた巻き尺は巻き尺の阻止部に引っかかって脱落しない構造になっているのでｏｎｅｔｏｕｃｈで簡単に着脱しながら完全ロック状態になる巻き尺ホルダが得られる効果がある。
【符号の説明】
【００１０】１  収納部
２  係合部
３  可動突出部
４  離脱防止用阻止部
５  誘導通路
６  係合部の突出部
７  ホルダ本体
【図１】
0003178467.tif 000003
【図２】
0003178467.tif 000004
(57)【要約】      （修正有）【課題】木製ドアの上枠及び縦枠を段違い三層として、二重の気密シールを埋め込み断熱性能と気密性能を向上させた三層式木製二重気密構造を提供する。【解決手段】木製ドアの下枠の無い、横辺の上枠及び縦辺の縦枠は、共に主体枠１、副枠３、副枠４が平行で内部側に段違い三層となり、副枠３と副枠４のドアが当たる面にシール溝２を施し、該シール溝２に気密シール５を埋め込む。【選択図】図３
0003178465.tif 000002
【実用新案登録請求の範囲】
【請求項１】
木製ドアの三方枠を段違いに三層として、二重の気密断熱シールを埋め込む事を特徴とした三層式木製二重気密構造。
【考案の詳細な説明】
【技術分野】
【０００１】玄関ドア受け枠の加工工程において、木製建具の断熱性能と気密性能を高める構造に関するものである。
【背景技術】
【０００２】従来は玄関ドア受け枠を凸型に加工し、工程上一本の気密断熱シールが限界であった。
【考案の概要】
【考案が解決しようとする課題】
【０００３】本考案が解決しようとする点は、木製ドアの三方枠を段違い三層として、二重の気密断熱シールを埋め込み断熱性能と気密性能を向上させるという点である。
【課題を解決するための手段】
【０００４】主体枠▲１▼に、シール溝▲２▼を切った副枠▲３▼に、更にシール溝▲２▼を切った副枠▲４▼を一体化し、シール溝▲２▼にシール▲５▼を埋め込んだ手段とする。
【考案の効果】
【０００５】木製ドアの三方枠を段違い三層として、二重の気密断熱シールを埋め込んだ事により、格段に断熱性能と気密性能を向上させる事ができる。
【図面の簡単な説明】
【０００６】
【図１】本考案の正面図。
【図２】本考案の上部断面図。
【図３】本考案の側面断面図。
【図４】本考案の下部断面図。
【図５】意匠を施した実施例の正面図。
【考案を実施するための形態】
【０００７】一般に市販されている玄関ドアと同等の施工形態とする。
【実施例】
【０００８】三方枠の下部は、ドア本体下部に公知の上下収納式気密断熱のエッジを用いた本考案の実施例（［図４］）。【０００９】ガラス▲７▼にペアやトリプルなどの高性能ガラスを用いた本考案の実施例。【００１０】ガラス▲７▼にサンドブラストやカッティングシートなどで意匠を施し、デザイン性を向上させた本考案の実施例（［図５］）。
【産業上の利用可能性】
【００１１】当該ドア▲６▼にペアやトリプルなどの高性能ガラスを収納する事で、木製品特有の断熱性や木が持つ重厚感と存在感、温かみのある木製玄関ドアを供給する事が可能となる。
【符号の説明】
【００１２】▲１▼  主体枠
▲２▼  シール溝
▲３▼  副枠
▲４▼  副枠
▲５▼  シール
▲６▼  ドア
▲７▼  ガラス
【図１】
0003178465.tif 000003
【図２】
0003178465.tif 000004
【図３】
0003178465.tif 000005
【図４】
0003178465.tif 000006
【図５】
0003178465.tif 000007
【手続補正書】
【提出日】平成24年6月25日(2012.6.25)
【手続補正１】
【補正対象書類名】実用新案登録請求の範囲
【補正対象項目名】全文
【補正方法】変更
【補正の内容】
【実用新案登録請求の範囲】
【請求項１】
木製ドアの下枠の無い、横辺の上枠及び縦辺の縦枠は、共に主体枠▲１▼、副枠▲３▼、副枠▲４▼が平行で内部側に段違い三層となり、副枠▲３▼と副枠▲４▼のドアが当たる面にシール溝▲２▼を施し、該シール溝▲２▼に気密シール▲５▼を埋め込んだ事を特徴とした三層式木製二重気密構造。
【手続補正２】
【補正対象書類名】明細書
【補正対象項目名】０００２
【補正方法】変更
【補正の内容】
【０００２】従来は玄関ドア受け枠を凸型に加工し、工程上一本の気密シールが限界であった。
【手続補正３】
【補正対象書類名】明細書
【補正対象項目名】０００３
【補正方法】変更
【補正の内容】
【０００３】本考案が解決しようとする点は、木製ドアの上枠及び縦枠を段違い三層として、二重の気密シールを埋め込み断熱性能と気密性能を向上させるという点である。
【手続補正４】
【補正対象書類名】明細書
【補正対象項目名】０００４
【補正方法】変更
【補正の内容】
【０００４】主体枠▲１▼に、シール溝▲２▼を施した副枠▲３▼に、更にシール溝▲２▼を施した副枠▲４▼を一体化し、シール溝▲２▼に気密シール▲５▼を埋め込んだ手段とする。
【手続補正５】
【補正対象書類名】明細書
【補正対象項目名】０００５
【補正方法】変更
【補正の内容】
【０００５】木製ドアの上枠及び縦枠を段違い三層として、二重の気密シールを埋め込んだ事により、格段に断熱性能と気密性能を向上させる事ができる。
【手続補正６】
【補正対象書類名】明細書
【補正対象項目名】０００６
【補正方法】変更
【補正の内容】
【０００６】
【図１】本考案の正面図。
【図２】本考案の上枠断面図。
【図３】本考案の縦枠断面図。
【図４】実施例１の断面図。
【図５】実施例３の正面図。
【手続補正７】
【補正対象書類名】明細書
【補正対象項目名】０００８
【補正方法】変更
【補正の内容】
【０００８】
【実施例１】
三方枠の下部は、ドア本体下部に公知の上下収納式気密断熱のエッジを用いた本考案の実施例。
【手続補正８】
【補正対象書類名】明細書
【補正対象項目名】０００９
【補正方法】変更
【補正の内容】
【０００９】
【実施例２】
ガラス▲７▼にペアガラスやトリプルガラスなどの高性能ガラスを用いた本考案の実施例。
【手続補正９】
【補正対象書類名】明細書
【補正対象項目名】００１０
【補正方法】変更
【補正の内容】
【００１０】
【実施例３】
ガラス▲７▼にサンドブラストやカッティングシートなどで意匠を施し、デザイン性を向上させた本考案の実施例。
【手続補正１０】
【補正対象書類名】明細書
【補正対象項目名】００１１
【補正方法】変更
【補正の内容】
【００１１】当該ドア▲６▼にペアガラスやトリプルガラスなどの高性能ガラスを収納する事で、木製品特有の断熱性や木が持つ重厚感と存在感、温かみのある木製玄関ドアを供給する事が可能となる。
【手続補正１１】
【補正対象書類名】明細書
【補正対象項目名】００１２
【補正方法】変更
【補正の内容】
【００１２】  ▲１▼主体枠
▲２▼シール溝
▲３▼副枠
▲４▼副枠
▲５▼気密シール
▲６▼ドア
▲７▼ガラス
(57)【要約】      （修正有）【課題】メガネの出し入れが簡単で、携帯に便利で、制作工程が容易なメガネケースを提供する。【解決手段】薄型鞘状直方体の開口部の長辺のうち１つに、直方体の底面から開口部方面に面を延長し、当該延長した面を前記開口部を塞がない方向に１８０度屈曲させて構成したクリップ２と、クリップ２が設けられた面と対向する面の長辺に沿って、直方体の開口部から底面まで設けたスリットで構成したメガネテンプル５通過用切り込み１と、を備える。メガネケースは１枚の素材３から作成され、直方体の内側面のうち切り込み１と対向する面に布又は皮材４を張り付ける。【選択図】図１
0003178479.tif 000002
【実用新案登録請求の範囲】
【請求項１】
一枚の素材３と布又は皮材４から作成できる、メガネテンプル５通過用切り込み１とクリップ２を設けてなるスリット入り携帯用薄型鞘状メガネケース。
【考案の詳細な説明】
【技術分野】
【０００１】  本考案は、従来品より、メガネの出し入れを簡単に、邪魔にならず、携帯しやすくするための、メガネケースの形態及び作成方法に関するものである。
【背景技術】
【０００２】  従来のメガネケースは、メガネの出し入れに一手間かかる。また、嵩張り、洋服のポケットや鞄のサイドポケット等に入れての携帯に不向きであった。制作工程も複雑だった。
【先行技術文献】
【０００３】
【特許文献】
【特許文献】  特表２００９−５２８１２３、特開２００４−１９５１７８、及び実開平５−５５９１７等にあるように、眼鏡の主腰部をなすレンズを含むレンズ枠のみを薄型ケース内へ収容し、テンプルをケースから出す技術はすでに開発され、小型化、携帯性向上はすでにかなり達成している。また、特開平８−８０２１１、及び登録実用新案第３１１２６３３号等により、出し入れを長辺方向にする考案もされている。さらに同第３１１２６３３号等、同第３１６８６１８号、及び同第３０６０６８４号にて、クリップ装着についても言及されている。
【考案の概要】
【考案が解決しようとする課題】  ［メガネの使用と収納に手間取る。嵩張る。携帯に不便。制作工程が複雑。］
【課題を解決するための手段】  ［抜き差し可能な鞘状化。］
［レンズ保持に特化して、メガネテンプル通過用切り込みを入れた軽量薄型化。］
［携帯のためのクリップ装着。］
［上記の三点を満たす形態を一枚の素材と布又は皮材から作成。］
【考案の効果】  ［メガネの出し入れが片手で簡単にできる。胸ポケットや鞄に入れても邪魔にならない。胸ポケットや鞄のサイドポケット等に挟んで携帯でき、その状態のまま、メガネの出し入れができる。紛失もなくなる。作成コストも下がる。］
【図面の簡単な説明】
【図１】「本考案の使用中斜視図及び使用中平面図である。」
【図２】「本考案の斜視図である。」
【図３】「本考案の正面図である。」
【図４】「本考案の平面図である。」
【図５】「本考案の展開図である。」
【考案を実施するための形態】
【実施例】  ［従来は、メガネケースは机上または大きなバッグの中にあり、多くの場合、メガネを胸ポケットや鞄のサイドポケットなどに直接入れる等、メガネケースの実用性に乏しかった。胸ポケットや鞄のサイドポケットなどに、携帯電話や筆記具等と一緒に直接メガネを収納すると、レンズを傷つける恐れがあったが、この考案を利用することで、レンズ保持をしながら、胸ポケットや鞄のサイドポケットなどにメガネを収納でき、なおかつ、メガネの使用、収納の出し入れが片手で瞬時にできる。作成は素材としてアクリル等の樹脂、あるいはアルミニウム等の金属を使用し、一枚の素材から折り曲げるだけで外側が完成する。内面には柔軟な薄い部材である布、又は皮材を張り付け、レンズを守るようにする。］
【図１】
0003178479.tif 000003
【図２】
0003178479.tif 000004
【図３】
0003178479.tif 000005
【図４】
0003178479.tif 000006
【図５】
0003178479.tif 000007
【手続補正書】
【提出日】平成24年7月2日(2012.7.2)
【手続補正１】
【補正対象書類名】実用新案登録請求の範囲
【補正対象項目名】全文
【補正方法】変更
【補正の内容】
【実用新案登録請求の範囲】
【請求項１】
薄型鞘状直方体の開口部の長辺のうち１つの長辺において、前記直方体の底面から開口部方面に面を延長し、当該延長した面を前記開口部を塞がない方向に１８０度屈曲させて構成したクリップ（２）と、
当該クリップ（２）が設けられた面と対向する面の長辺に沿って、前記直方体の開口部から底面まで設けたスリットで構成したメガネテンプル（５）通過用切り込み（１）と、
を備えたスリット入り携帯用薄型鞘状メガネケースにおいて、
前記メガネケースは１枚の素材（３）から作成され、前記直方体の内側面のうち前記切り込み（１）と対向する面に布又は皮材（４）を張り付けたことを特徴とするスリット入り携帯用薄型鞘状メガネケース。
(57)【要約】      （修正有）【課題】ベッドで寝たきりの方がベッドから家庭用のお風呂に容易に移動できるようにした家庭用の風呂を提供する。【解決手段】箱型で四方が板で囲まれた家庭用のお風呂であって、上下に稼働する側面の板を下げ被介護のベッドと平行に設置してお風呂の底板の上部にスライド板がありそのスライド板をベッドの方向にスライドさせ被介護をベッドから移動し、スライド板をスライドさせ元の位置に戻し側面の板を上げることで寝たままお風呂に入れる様にする。【選択図】図１
0003178476.tif 000002
【実用新案登録請求の範囲】
【請求項１】
四方が板で囲まれた箱型のお風呂で横面の板が上下をしストッパー付のキャスターで支えられたスライド板がスライドできスライドさせてベッドにスライド板を元の位置に戻してベンチにもなる事を特徴とする家庭用のお風呂
【考案の詳細な説明】
【技術分野】
【０００１】  本考案は被介護者のベッドの横に箱型をしたお風呂の手前横面板を下に下してお風呂の上部のスライド板を手前ベッドの方向にスライドさせてそのスライド板にベッドから移動させ元の位置にスライドさせ戻し横面の板を上げることで箱型のお風呂の中に入れることができる
【背景技術】
【０００２】  今までは家庭内の入浴は困難で体を拭いてあげるか訪問入浴に頼るしかなかった
【考案の概要】
【考案が解決しようとする課題】
【０００３】  ベッドで寝たきりの方でも好きな時に入浴ができるようにする
【課題を解決するための手段】
【０００４】  本考案はベッドから家庭用のお風呂に容易に移動できるように解決している
【考案の効果】
【０００５】  本考案によりベッドからお風呂に移動させることが容易になり被介護者が好きな時にゆっくりお風呂に入れる事で肉体的にも精神的にも満足していただける
【図面の簡単な説明】
【０００６】
【図１】  斜め上から見た図面
【考案を実施するための形態】
【０００７】  箱型をしたお風呂の横面の板を下におろしお風呂の底の上部のスライド板を手前にスライドさせ被介護者をベッドから移動させて元の位置に戻し横面の板を上げることにより箱型のお風呂の中にフラットに寝た状態になる
【実施例】
【０００８】  以下添付図面に従って実施例を説明する
本体は耐久性と介護者の身長に合わせて作れる加工性に優れた木材によるお風呂で▲１▼の手前横面の板を下におろし▲２▼のストッパー付きのキャスターが付いた左右の脚で支えるお風呂上部▲３▼のスライド板を▲４▼のスライドを使いベッド手前に引きそのスライド板の上に被介護者を移動させ元の位置に戻し▲１▼の横面の板を上げることで箱型のお風呂ができる
【符号の説明】
【０００９】  ▲１▼上下できる横面の板▲２▼ストッパー付のキャスターが付いた脚
▲３▼お風呂底上部のスライド板▲４▼スライド
【図１】
0003178476.tif 000003
【図２】
0003178476.tif 000004
【手続補正書】
【提出日】平成24年6月28日(2012.6.28)
【手続補正１】
【補正対象書類名】実用新案登録請求の範囲
【補正対象項目名】全文
【補正方法】変更
【補正の内容】
【実用新案登録請求の範囲】
【請求項１】
箱型で四方が板で囲まれた家庭用のお風呂であって上下に稼働する側面の板を下げ被介護のベッドと平行に設置してお風呂の底板の上部にスライド板がありそのスライド板をベッドの方向にスライドさせ被介護をベッドから移動しスライド板をスライドさせ元の位置に戻し側面の板を上げることで寝たままお風呂に入れる事を特徴とする家庭用のお風呂
【手続補正２】
【補正対象書類名】明細書
【補正対象項目名】０００６
【補正方法】変更
【補正の内容】
【０００６】
【図１】スライド板を手前に引いた図
【図２】スライド板を元に戻した図
(57)【要約】      （修正有）【課題】充分な弾力性と強度を確保したヘルメット用ペンホルダを提供する。【解決手段】ペンホルダ本体３の中心部と可動部２に、本体３と可動部２であるロック装置を連結しながら常時可動部２がスプリング５の反作用によって本体３方向に圧力を掛け、上部から下部に向けて入れたペンを持つように本体３と可動部２両側に穴を形成して、そこに連結ピン４とスプリング５をいれる。【選択図】図１
0003178473.tif 000002
【実用新案登録請求の範囲】
【請求項１】
ペンホルダ本体と可動部の縦方向の中心部の両側に穴をあけてそれを軸にし、そこに収納したキックバネの作用で常時本体方向に可動部であるロック装置が圧力をかけることで、収納部に入れたペンがその圧力によって挟まれ、離脱しないようにしたことを特徴とするヘルメット用ペンホルダ。
【考案の詳細な説明】
【技術分野】
【０００１】    本考案は鉛筆、マジックペンなどの書くものを簡単に着脱できるように考案したペンホルダに関する。
【背景技術】
【０００２】ペンホルダの収納部の上部に、書くものを入れる方向と同じ方向を向けたロック装置を、本体と一体化して樹脂材料で成型して簡単に着脱できる従来のヘルメット用ペンホルダがあった。
【考案の概要】
【考案が解決しようとする課題】
【０００３】  しかしながら、上記のペンホルダはロック装置を本体と一体化して樹脂材料で成型した為、充分な弾力性と強度が確保出来なかった。
【課題を解決するための手段】
【０００４】  本考案は、ペンホルダの収納部を可動する部分と可動しない本体部分に二分化して、ペンホルダの収納部の下部にスプリング作用によって一定の軸を基準として可動部に働き掛けることで上記課題を解決するものである。
【考案の効果】
【０００５】  本考案はロック装置と本体部分を二分化して、ロック装置をスプリングによって可動することによって充分な弾力性と強度を確保する効果がある。
【図面の簡単な説明】
【０００６】
【図１】本考案に係るヘルメット用ペンホルダの側面図
【図２】従来のヘルメット用ペンホルダの正面図
【図３】従来のヘルメット用ペンホルダの側面図
【図４】図２のペンホルダの実施図
【考案を実施する為の形態】
【０００７】  図１に示すようにペンホルダ本体の中心部と可動部に、本体と可動部であるロック装置を連結しながら常時可動部がスプリングの反作用によって本体方向に圧力を掛け、上部から下部に向けて入れたペンを持つように本体と可動部両側に穴を形成して、そこに連結ピンとスプリングをいれる。
【０００８】  図１に示すように本体の下部にはペンホルダをヘルメットに固定する為、固定用ネジによって固定されるヘルメット固定部を設けること。
【０００９】  上記工程により完成した本考案のヘルメット用ペンホルダは、ロック装置である可動部をスプリングで働きかけることで、ペンを簡単に着脱しながら離脱しないようにする効果がある。
【符号の説明】
【００１０】１  ペン収納部
２  可動部
３  本体部
４  連結ピン
５  スプリング
６  ヘルメット固定部
７  ヘルメット固定ネジ
８  ペンの落下防止用ロック装置
９  ヘルメット
１０  鉛筆
【図１】
0003178473.tif 000003
【図２】
0003178473.tif 000004
【図３】
0003178473.tif 000005
【図４】
0003178473.tif 000006
(57)【要約】      （修正有）【課題】ハンドスプレーヤー内の液体が少くなった時に、スプレー本体を垂直姿勢から斜めにしてもスプレーする事が出来るスプレーを提供する。【解決手段】タンクを斜めにすると吸込用チューブ先端が液体に届かなくなるので、チューブ先端部分を効率良い長さのシリコーン製のフレキシブルチューブにした。液体吸込用チューブをシリコンチューブにしたため、吸込用チューブが液体に対して常に垂直に位置するため液体が少しになっても、タンク姿勢が斜めになっても常に吸込みが出来る。【選択図】図１
0003178471.tif 000002
【実用新案登録請求の範囲】
【請求項１】
スプレーヤーの本体タンク内に入り込んでいる吸込チューブをフレキシブル自在な材質のチューブにした。
【考案の詳細な説明】
【技術分野】
【０００１】本考案はハンドスプレーヤーに関するものである。
【背景技術】
【０００２】スプレーヤーに液体を入れスプレーする場所にノズルを向けスプレーする。
【先行技術文献】
【特許文献】
【０００３】
【特許文献１】
【非特許文献】
【０００４】
【非特許文献１】
【考案の概要】
【考案が解決しようとする課題】
【０００５】作業中タンク内の液体が少しになり、タンクを斜めにすると、中のチューブが液体に届かなくなり、スプレーが出来なくなる。
【課題を解決するための手段】
【０００６】液体吸込用チューブがタンクに垂直に入っているので、タンクを斜めにすると吸込用チューブ先端が液体に届かなくなるので、チューブ先端部分を効率良い長さのフレキシブルチューブにした。
【考案の効果】
【０００７】液体吸込用チューブをシリコンチューブにしたため、吸込用チューブが液体に対して常に垂直に位置するため液体が少しになっても、タンク姿勢が斜めになっても常に吸込みが出来る。
【図面の簡単な説明】
【０００８】
【図１】〔１〕本考案の改良したフレキシブルチューブ部分の図
【考案を実施するための形態】
【０００９】スプレー本体内の吸込口チューブの先端部分をフレキシブルな材質のものとした。
【実施例】
【００１０】▲１▼フレキシブルチューブ
▲２▼重り【００１１】
【００１２】
【符号の説明】
【００１３】
【図１】
0003178471.tif 000003
【手続補正書】
【提出日】平成24年6月26日(2012.6.26)
【手続補正１】
【補正対象書類名】実用新案登録請求の範囲
【補正対象項目名】全文
【補正方法】変更
【補正の内容】
【実用新案登録請求の範囲】
【請求項１】
本体タンク内に入り込んでいる吸い込みチューブをフレキシブルな材質のものとし本体を斜めにした時もスムーズな噴霧が出来る事を特徴とするスプレーである。
(57)【要約】      （修正有）【課題】汗をかきやすい足の指間など足裏に空気を送るように構成したシューズを提供する。【解決手段】シューズの踵部分に設けたエアーポンプ４の蛇腹を歩く際に踏み込み、スポイトの原理で蛇腹の中の空気が繋がってるパイプを通り足裏の指間部分に空気を送る。蛇腹はポリエチレン等の高反発な物で、足を上げて踵が浮いた際にスポイトの原理で元の形に戻り、その際、靴の外に設けたＵ字型のダクトから空気を取り込む。ダクトは、雨の侵入を防止する目的でＵ字型として吸引口２を下向きにし、ダクトと蛇腹の間に空気の漏れ防止弁３を設ける。【選択図】図１
0003178475.tif 000002
【実用新案登録請求の範囲】
【請求項１】
歩くたびに足裏に空気を送るようにしたシュ−ズ
【考案の詳細な説明】
【考案の開示】
【考案が解決しようとする課題】
【０００１】従来の靴は機密性が高い物ほど多汗症の人の足むれに、つながった
【課題を解決するための手段】
【０００２】上記目的を達成するために、かかと部分に設けたエア−ポンプを踏む事により中のパイプから足裏付近に開いた穴へ空気を送る様にした物である
【考案の効果】
【０００３】臭いの原因である足裏のむれを解消出来る様にした物
【図面の簡単な説明】
【０００４】
【図１】  靴を横から見た断面図
【図２】  中のインソ−ル部分を上から見た図
【符号の説明】１    足指、足裏に空気が送られる吸排気穴
２    外から空気を吸う吸気口
３    エア−ポンプの漏れ防止用の弁
４    踵部分のエア−ポンプ
【図１】
0003178475.tif 000003
【図２】
0003178475.tif 000004
【手続補正書】
【提出日】平成24年6月25日(2012.6.25)
【手続補正１】
【補正対象書類名】実用新案登録請求の範囲
【補正対象項目名】全文
【補正方法】変更
【補正の内容】
【実用新案登録請求の範囲】
【請求項１】
シューズの踵部分に設けたエアーポンプの蛇腹を歩く際に踏み込み、スポイトの原理で蛇腹の中の空気が繋がってるパイプを通り足裏の指間部分に空気を送るようにした物で、蛇腹はポリエチレン等の高反発な物で、足を上げて踵が浮いた際にスポイトの原理で元の形に戻る、その際、靴の外に設けたＵ字型のダクトから空気を取り込む、ダクトは、雨の侵入を防止する目的でＵ字型として吸引口を下向きにした、ダクトと蛇腹の間に空気の漏れ防止弁を設けた物
(57)【要約】      （修正有）【課題】家屋屋根上に積雪し難い形状の鋭角三角形バルーンを取り付けて屋根上に積雪し難くして雪下ろし作業を不要にして、家屋を守るあるいは、積雪しても積雪被害を最小限に留めることができる積雪対策バルーンを提供する。【解決手段】家屋屋根上にバルーン１を置いて固定しそのバルーン１内に送風機６により空気を圧送して膨張展開させ鋭角三角形状を家屋屋根上に形成する。この鋭角三角形状に降雪しても、積雪し難い形状で積雪量も限られる、たとえ積雪しても柔らかいバルーン表面は周囲からの風で耐えなく又あおられま又、左右になびく縦ヒレ２と相まって屋根上の積雪は振り落とされる。【選択図】図４
0003178474.tif 000002
【実用新案登録請求の範囲】
【請求項１】
家屋屋根上に空気送風圧で鋭角三角形バルーンを形成し長期に渡りその形状を持続保持することにより降雪時の積雪を最小限に抑えられる。
【請求項２】
バルーン表面の複数個所に布旗表面ヒレフインを多数設けることにより周囲からの強風で左右上下に揺れなびく、ことによりバルーン表面の降雪を振る払うのを特徴とする家屋積雪対策。
【考案の詳細な説明】
【技術分野】
【０００１】  本考案は降雪時の家屋屋根上の積雪を最小限に留め、雪降ろし作業を不要とするための降雪対策バルーンに関するものである。
【背景技術】
【０００２】  家屋屋根上の積雪は時間とともに膨大な量になり、その対応は人力による手作業以外に方策はなく、仮に温水や電熱等の熱源に頼ればその融雪水が凍結して、二次問題になっていた。
【考案の開示】
【考案が解決しようとする課題】
【０００３】  従来積雪に対して人力による除去手作業以外なすすべがなかった積雪対策において、まず積雪しない様に又は積雪しても最小限にする方法が最も合理的で安全確実、コスト安かつ効果的である、元来のこれらの問題点を解決しようとするものである。
【課題を解決しょうとする手段】
【０００４】  本考案は、家屋屋根上に鋭角の三角バルーンで家屋屋根を覆うがごとく取り付け設置、そのバルーンは鋭角三角形を長時間維持保持するため空気圧により膨らみ、大型三角バルーンは常時、送風機で送風圧を受けて膨らみ続け、小型三角バルーンは空気圧を送風機で一定圧に送風注入後密閉して同じく長時間三角形を保持して家屋屋根上に積雪しにくくする。家屋屋根上に空気圧で鋭角三角に膨らんだバルーンは当然周囲からの強い風当たりでバルーン本体が風圧を受けて大きく、たわんだり波打つたり、する事により表面が大きく変形する，その際バルーン上の降雪又は積雪が、そのつど振り落とされる仕組みである。たとえ風圧がない状況下でも三角鋭角に積雪する量は限られるし、積雪したとしても、そのつど風圧の強弱で振り落とされることにより、問題点を解決している。
【考案の効果】
【０００５】  上述の様に、家屋屋根上の積雪対策は積雪しない様にする事が最も合理的である、考案の三角バルーンは軽量で、手軽に屋根を傷めることなく屋根上に積雪の季節のみ容易に設置できる、この三角バルーンは送風機で膨張展開して屋根上を覆う、降雪はまずバルーン表面に積雪するも、積雪する間もなく周囲からの風で振り落とされ積雪対策として役立つ。
【考案を実施するための最良の形態】
【０００６】  積雪対応バルーンは大中小のそれぞれのサイズごとに種類が分かれているので、家屋に合ったバルーンサイズを用いる、設置する際はます家屋屋根上の突起物を最小限にしてバルーン底を傷つけない様にシート状のものを敷いた上で、まず折りたたんであったバルーンを広げる、次に四隅にある固定用のフックを家屋支柱に出来れば地上までロープを伸ばして地面に固定する方法が堅牢で望ましい、取り付け固定後バルーンと送風機の間を送風パイプで接続し送風を開始する、バルーンは送風圧で膨張展開し事前に決められた位置に鋭角三角形状を長時間形成維持する。
【実施例】
【０００７】以下、添付図面に従って一実施例を説明する。１は機密性と耐久力がある材質で縫製加工された折りたたみ式圧送型バルーンで，夏場の使用以外時には折りたたんで収納保管される、冬場の使用時にはこれを屋根上に広げて，固定位置決めをして四隅に設けられている固定フック２にロープを通して固定する、バルーン一端にある送風注入口３と送風機５を送風接続パイプ４で接続し送風送圧してバルーン１を膨張展開させ鋭角三角形を形成させる。【０００８】鋭角三角形に降り注ぐ雪は、形状上積雪し難い上、バルーン表面に積雪しても柔らかいバルーン表面は常に風圧を受け変形を繰り返し、又同表面に幾つかの縦布ヒレが設けられている、これが風により左右にはためく事により積雪を振り払うことに貢献している、また無風状態下でもバルーン表面上の積雪は形状的に見て最小限に留める造形である。【０００９】本考案の一実施例は上記の如き構成からなるものである、家屋については家屋内で暖房を使っている場合、その暖気が屋根裏を伝わって屋根上のバルーン内の密閉された空気を若干なりとも暖める作用もある、これらの要素も積雪対策に供与している、これらの一連の作用は雪降ろし対策として役立つ。
【図面の簡単な説明】
【００１０】
【図１】本考案実施前に屋根上にシートを敷く斜め鳥観図である
【図２】本バルーンを屋根上に広げる斜め鳥観図である
【図３】本バルーンの送風による膨張展開の前段階。
【図４】本バルーンに送風後の膨張展開した後の斜め鳥観図である。
【符号の説明】
【００１１】  １  バルーン
２  縦ヒレ
３  固定フック
４  送風注入口
５  送風接続パイプ
６  送風機
【図１】
0003178474.tif 000003
【図２】
0003178474.tif 000004
【図３】
0003178474.tif 000005
【図４】
0003178474.tif 000006
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
家屋屋根上に空気送風庄で鋭角三角形バルーンを形成し長期に渡りその形状を持続保持することにより降雪時の積雪を最小限に抑えられる積雪対策バルーン。
【請求項２】
バルーン表面の複数個所に布旗表面ヒレフインを多数設けることにより周囲からの強風で左右上下に揺れなびく、ことによりバルーン表面の降雪を振り払うのを特徴とする請求項１記載の積雪対策バルーン。
(57)【要約】【課題】文字エリアを有し個性化を図る眼鏡を提供する。【解決手段】眼鏡１０は、フレーム２０、レンズ３０、および、テンプル４０を備える。フレーム２０は、二つの枠体、および、当該枠体を連結する枠体連結部２１を有する。レンズ３０は、枠体内に設けられる。テンプル４０は、フレームの左端及び右端から、枠体連結部の連結方向に直交する方向に延伸する。フレーム２０、レンズ３０、およびテンプル４０の少なくとも一方に文字エリア５０を有する。【選択図】図１
0003178432.tif 000002
【実用新案登録請求の範囲】
【請求項１】
二つの枠体、および、当該枠体を連結する枠体連結部を有するフレームと、
前記枠体内に設けられるレンズと、
前記フレームの左端及び右端から、前記枠体連結部の連結方向に直交する方向に延伸するテンプルと、を備え、
前記フレーム、前記レンズ、および前記テンプルの少なくとも一方に文字エリアを有することを特徴とする眼鏡。
【請求項２】
前記文字エリアは、身分に係わる文字、電話番号、住所、および、携帯電話の番号からなる一群より選ばれる少なくとも一つの情報を有することを特徴とする請求項１記載の眼鏡。
【請求項３】
前記文字エリアは、挨拶の言葉、警告の言葉、祝いの言葉、および、記念日からなる一群より選ばれる少なくとも一つの情報を有することを特徴とする請求項１記載の眼鏡。
【請求項４】
前記文字エリアの加工方式は、レーザ彫刻、印刷、鋳込み、エッチング、埋め込み、嵌め込み、浮き出し、または、沈み込みであることを特徴とする請求項１記載の眼鏡。
【請求項５】
前記埋め込みまたは嵌め込みによる文字エリアの加工方式は鍍金、一般メッキ、または、エナメル吹き付けであることを特徴とする請求項４記載の眼鏡。
【請求項６】
前記文字エリアは、前記テンプルに設置されることを特徴とする請求項２または３記載の眼鏡。
【請求項７】
前記文字エリアは、前記フレームに設置されることを特徴とする請求項２または３記載の眼鏡。
【請求項８】
前記文字エリアは、前記レンズに設置されることを特徴とする請求項２または３記載の眼鏡。
【考案の詳細な説明】
【技術分野】
【０００１】
本考案は、眼鏡に関し、詳しくは、文字エリアを有する眼鏡に関する。
【背景技術】
【０００２】
従来の眼鏡のデザインは、せいぜいフレーム（ｆｒａｍｅ）の上部に簡単な図案を付けた程度のものである。また、加工方法及びコストの観点から、眼鏡の外形や色のデザインが不充分である。よって、現在の流行を追及する若者の関心を引き起こさない。
【先行技術文献】
【特許文献】
【０００３】
【特許文献１】特開２００７−２７９１６６号公報
【考案の概要】
【考案が解決しようとする課題】
【０００４】
現在の眼鏡市場に於いて、特注による眼鏡の量産ができない。しかしながら、多くの人は眼鏡の個性や独創性を重視するようになっている。たとえば眼鏡の上部に一行の文字または一段落の言葉を記念として付け加え、または上部に特定の記録（例えば身分証明に係わる文字）を刻み付け、眼鏡の所有等の判別に用いられる。
【０００５】
本考案は上述の問題を解決するためのものであり、その目的は文字エリアを有し個性化を図る眼鏡を提供する。
【課題を解決するための手段】
【０００６】
本考案による眼鏡は、フレーム、レンズ、および、テンプルを備える。フレームは、二つの枠体、および、当該枠体を連結する枠体連結部を有する。レンズは、枠体内に設けられる。テンプルは、フレームの左端及び右端から、枠体連結部の連結方向に直交する方向に延伸する。フレーム、レンズ、およびテンプルの少なくとも一方に文字エリアを有する。
【０００７】
本考案は各種特定加工方式（例えばレーザ（ｌａｓｅｒ）彫刻機）を運用し、違う眼鏡の材質ニーズ（ｎｅｅｄｓ）と組み合わせ、それによって眼鏡のフレーム、テンプル（ｔｅｍｐｌｅ）及びレンズはともに特注の文字区域を擁有することができる。例えば眼鏡の上部に一行の文字または一段落の言葉を記念として付け加え、または上部に特定の記録（例えば身分証明に係わる文字）を刻み付け、眼鏡の所有等の判別に用いられる。
【図面の簡単な説明】
【０００８】
【図１】本考案第１実施形態による眼鏡の模式図である。
【図２】本考案第２実施形態による眼鏡の模式図である。
【図３】本考案第３実施形態による眼鏡の模式図である。
【考案を実施するための形態】
【０００９】
ここに、本考案の構造や構成及び発生しうる効果と長所について、本考案の実施形態を図面に基づいて詳細説明する。
（第１実施形態）
【００１０】
図１に示すように、本考案の第１実施形態による眼鏡１０は次のものから構成される。
【００１１】
眼鏡１０は、フレーム２０、レンズ３０、テンプル４０を備える。  フレーム２０は、二つの枠体を有し、枠体連結部２１により二つの枠体が結合連結される。
【００１２】
二枚のレンズ３０は、それぞれフレーム２０の両枠体に設置される。
【００１３】
テンプル４０は、フレーム２０の左端及び右端から、かつ枠体連結部２１の連接方向と垂直する方向に延伸する。テンプル４０の二つの末端４１は特定の曲線をもって収まり、末端４１の曲線は使用者の耳に対応する。
【００１４】
少なくとも一つの文字エリア（ａｒｅａ）５０は、加工方式による文字エリアであり、テンプル４０の所定箇所に設置される。また、浮き出しまたは沈み込みの何れの方式をもって表す。文字エリアには、身分に係わる文字、挨拶の言葉、警告の言葉、祝いの言葉、記念日、電話番号、住所、携帯電話番号等を記入することができる。
【００１５】
加工方式は、レーザ彫刻、彫刻、印刷、鋳込み、エッチング（ｅｔｃｈｉｎｇ）、埋め込みまたは嵌め込みのうち少なくとも一つを使用することができる。嵌め込みまたは埋め込みによる文字エリアの加工方式は鍍金、一般メッキ及びエナメル吹き付けの一種であってもよい。
【００１６】
（第２実施形態）
図２に基づいて本考案の第２実施形態を説明する。第２実施形態では文字エリア５０をフレーム２０の所定箇所に設置する。
【００１７】
（第３実施形態）
図３に基づいて本考案の第３実施形態を説明する。第３実施形態では文字エリア５０をレンズ３０の所定箇所に設置する。
【００１８】
本考案の長所は従来の眼鏡の製造方法の改善である。
本考案は各種特定加工方式（例えばレーザ彫刻機）を運用し、違う眼鏡の材質ニーズと組み合わせ、それによって眼鏡のフレーム、テンプル及びレンズはともに特注の文字区域を有することができる。例えば眼鏡の上部に一行の文字または一段落の言葉を記念として付け加え、または上部に特定の記録（例えば身分証明に係わる文字）を刻み付け、眼鏡の所有等の判別に用いられる。
【００１９】
以上、本考案は、上記実施形態に限定されるものではなく、その要旨を逸脱しない範囲で種々の実施形態に適用可能である。
【符号の説明】
【００２０】
１０・・・眼鏡、
２０・・・フレーム、
２１・・・枠連結部、
３０・・・レンズ、
４０・・・テンプル、
４１・・・末端、
５０・・・文字エリア。
【図１】
0003178432.tif 000003
【図２】
0003178432.tif 000004
【図３】
0003178432.tif 000005